(57)【要約】【課題】簡単な冷媒回路構成で、なおかつ、除霜後の暖房の立ち上りを阻害することのない空気調和装置を提供すること。【解決手段】一の室外ユニット３Ａが除霜すべき状態に至った場合には、この一の室外ユニット３Ａが凝縮器として機能するとともに、他の室外ユニット３Ｂが蒸発器として機能するように各室外ユニット３Ａ，３Ｂの四方弁３１Ａ、３１Ｂを切り換え、他の室外ユニット３Ｂの圧縮機３０Ｂを除霜対象の室外ユニット３Ａの圧縮機３０Ａよりも高い運転周波数で運転して、複数の室外ユニット３Ａ、３Ｂの間で冷媒を循環させる構成とした。【選択図】図４
2008025901.tif 000002
【特許請求の範囲】
【請求項１】
圧縮機、四方弁、室外熱交換器および室外膨張弁を有する室外ユニットと、室内熱交換器および室内膨張弁を有する室内ユニットとを備え、前記室内ユニットから延びるユニット間配管に前記室外ユニットを複数並列に接続してなる空気調和装置において、
一の室外ユニットが除霜すべき状態に至った場合には、この一の室外ユニットが凝縮器として機能するとともに、他の室外ユニットが蒸発器として機能するように各室外ユニットの前記四方弁を切り換え、前記他の室外ユニットの圧縮機を前記一の室外ユニットの圧縮機よりも高い運転周波数で運転して、前記複数の室外ユニットの間で冷媒を循環させることを特徴とする空気調和装置。
【請求項２】
前記一の室外ユニットの室外熱交換器で凝縮された冷媒の一部を、当該一の室外ユニットの圧縮機の吸込側に戻し、前記他の室外ユニットの圧縮機から吐出された冷媒と合流させたことを特徴とする請求項１に記載の空気調和装置。
【請求項３】
前記一の室外ユニットの除霜が終了した場合、前記四方弁を切り換え、当該一の室外ユニットの除霜に続いて、前記他の室外ユニットの除霜を実施することを特徴とする請求項１または２に記載の空気調和装置。
【請求項４】
除霜運転時に、前記室内ユニットの前記室内膨張弁を全閉状態とすることを特徴とする請求項１乃至３のいずれかに記載の空気調和装置。
【発明の詳細な説明】
【技術分野】
【０００１】
本発明は、室内ユニットから延びるユニット間配管に、室外ユニットを複数台並列につないだ空気調和装置に係り、特に、室外ユニットの除霜技術に関する。
【背景技術】
【０００２】
一般に、複数台の室内ユニットを並列に配置するとともに、各室内ユニットにつながれるユニット間配管に対し、圧縮機、四方弁、室外熱交換器などを内蔵する複数台の室外ユニットを並列に接続してなる空気調和装置（いわゆるマルチ形空気調和装置）が知られている（例えば、特許文献１参照）。この種のマルチ形空気調和装置は、装置の大容量システム化が図れるという利点がある。
【０００３】
ところで、空気調和装置が暖房運転している時には、室外ユニットの室外熱交換器に霜が付く場合がある。室外熱交換器に霜がつくと、空気調和装置の運転効率を低下させるため、従来では、逆サイクル除霜やホットガス除霜といった除霜技術により、室外熱交換器の除霜を行っている。逆サイクル除霜は、空気調和装置を冷房運転に切り換えることで、室内ユニットを蒸発器として機能させるとともに、室外ユニットを凝縮器として機能させ、室外熱交換器を除霜する技術である。また、ホットガス除霜は、圧縮機から吐出された冷媒を室外熱交換器および室内熱交換器へ導いて、室外熱交換器を除霜するとともに、室内熱交換器を凝縮器として機能させるものである。
【特許文献１】特開平０６―３１３６５３号公報
【発明の開示】
【発明が解決しようとする課題】
【０００４】
しかしながら、上記逆サイクル除霜にあっては、室内熱交換器が蒸発器として機能して冷房状態となるため、ユニット間配管および室内ユニットが冷却されてしまい、除霜時に熱応力によりユニット間配管などに騒音が発生したり、除霜後の暖房の立ち上りが悪くなるという問題があった。
また、上記ホットガス除霜にあっては、冷媒回路内に吸熱源がなく、圧縮機による冷媒圧縮以外に外部から冷媒へ熱が与えられることがないため、除霜に時間がかかるといった問題がある。さらに、ホットガス除霜にあっては、圧縮機から吐出された冷媒を室外熱交換器へ導くためのホットガス用配管を設ける必要があり、冷媒回路の構成が複雑化するばかりか、コストも高くなるといった問題がある。
【０００５】
本発明は、上述した事情に鑑みてなされたものであり、簡単な冷媒回路構成で、なおかつ、除霜後の暖房の立ち上りを阻害することのない空気調和装置を提供することを目的とする。
【課題を解決するための手段】
【０００６】
上記目的を達成するために、本発明は、圧縮機、四方弁、室外熱交換器および室外膨張弁を有する室外ユニットと、室内熱交換器および室内膨張弁を有する室内ユニットとを備え、前記室内ユニットから延びるユニット間配管に前記室外ユニットを複数並列に接続してなる空気調和装置において、一の室外ユニットが除霜すべき状態に至った場合には、この一の室外ユニットが凝縮器として機能するとともに、他の室外ユニットが蒸発器として機能するように各室外ユニットの前記四方弁を切り換え、前記他の室外ユニットの圧縮機を前記一の室外ユニットの圧縮機よりも高い運転周波数で運転して、前記複数の室外ユニットの間で冷媒を循環させることを特徴とする。
【０００７】
この場合において、前記一の室外ユニットの室外熱交換器で凝縮された冷媒の一部を、当該一の室外ユニットの圧縮機の吸込側に戻し、前記他の室外ユニットの圧縮機から吐出された冷媒と合流させた構成としても良い。
【０００８】
また、前記一の室外ユニットの除霜が終了した場合、前記四方弁を切り換え、当該一の室外ユニットの除霜に続いて、前記他の室外ユニットの除霜を実施する構成としても良い。また、除霜運転時に、前記室内ユニットの前記室内膨張弁を全閉状態とする構成としても良い。
【発明の効果】
【０００９】
本発明によれば、簡単な冷媒回路構成で、なおかつ、除霜後の暖房運転を従来よりも早く立ち上げることができる。
【発明を実施するための最良の形態】
【００１０】
以下、図面を参照して本発明の実施の形態を詳述する。
図１は本発明の実施の形態に係る空気調和装置１の冷媒回路図である。この図に示すように、空気調和装置１は複数台（本実施形態では２台）の室内ユニット２Ａ、２Ｂと、複数台（本実施形態では２台）の室外ユニット３Ａ、３Ｂとを備え、これら室内ユニット２Ａ、２Ｂと、室外ユニット３Ａ、３Ｂとがユニット間配管４により接続されている。このユニット間配管４は、ガス管５と液管６とから構成され、上記室内ユニット２Ａ、２Ｂの各々はユニット間配管４に互いに並列に接続されるとともに、上記室外ユニット３Ａ、３Ｂの各々もユニット間配管４に互いに並列に接続される。なお、以下の説明において、室内ユニット２Ａ、２Ｂの各々を特に区別する必要のないときは、室内ユニット２と表記する。また、これと同様に、室外ユニット３Ａ、３Ｂの各々を特に区別する必要がないときは、室外ユニット３と表記する。
【００１１】
室内ユニット２のそれぞれは、室内熱交換器２０と、室内膨張弁２１と、室内ファン２２とを備えている。室内熱交換器２０はガス管５と液管６との間に介挿され、また、上記室内膨張弁２１は室内熱交換器２０と液管６との間に設けられる。室内ファン（送風機）２２は室内熱交換器２０の近傍に設けられ、室内空気と室内熱交換器２０とを熱交換させて室内に調和空気を送風する。室内ユニット２には、この他にも、室内空気温度を検出する温度センサや、室内ユニット２の各部を制御する室内制御装置（共に図示せず）が設けられている。
【００１２】
室外ユニット３Ａは、圧縮機３０Ａと、四方弁３１Ａと、室外熱交換器３２Ａと、室外膨張弁３３Ａと、室外ファン３４Ａと、補助冷却器３５Ａとを備える。この補助冷却器３５Ａは、冷房運転時に、室外膨張弁３３Ａと液管６とを接続する冷媒配管３６Ａを流れる液冷媒を過冷却することにより、室内ユニット２での冷房能力を向上させるものである。具体的には、補助冷却器３５Ａは内管と外管とを二重管で構成した、いわゆる二重管式熱交換器で形成されており、この内管には上記冷媒配管３６Ａが接続され、外管には当該冷媒配管３６Ａから分岐して補助冷却用膨張弁３７Ａを通過した冷媒が通る分岐管３８Ａが接続されている。また、この分岐管３８Ａは、補助冷却器３５Ａの外管に接続された冷媒配管３９Ａを介して圧縮機３０Ａの吸込側に連なり、これら分岐管３８Ａ及び冷媒配管３９Ａを通過した冷媒は圧縮機３０Ａの吸込口に戻されるようになっている。
この圧縮機３０Ａは能力可変の可変圧縮機（インバータコンプレッサ）である。室外熱交換器３２Ａには温度センサ（不図示）が配置されており、室外熱交換器３２Ａの温度が制御装置１００に出力される。この制御装置１００は、冷房運転と暖房運転との切り換えに伴う四方弁３１Ａの切り換え、圧縮機３０Ａの運転周波数制御、または、室外膨張弁３３Ａの開度調整といった各種制御を実行するものであり、さらに本実施の形態では、室外熱交換器３２Ａの温度に基づいて除霜開始状態を判断し、除霜時には、後述する除霜処理を開始する。なお、本実施形態では、室外ユニット３Ｂは上記室外ユニット３Ａと略同一の構成であるため、同様の符号を付して説明を省略する。
【００１３】
上記の構成の下、冷房運転時には、図１に示すように、制御装置１００は、圧縮機３０Ａ、３０Ｂから吐出された高温・高圧のガス冷媒を室内ユニット２Ａ、２Ｂに向かって流すべく、室外ユニット３Ａ、３Ｂのそれぞれの四方弁３１Ａ、３１Ｂを冷房運転時の位置に切り換える。これにより、室外ユニット３Ａ、３Ｂの室外熱交換器３２Ａ、３２Ｂが凝縮器として機能するとともに、室内ユニット２の室内熱交換器２０が蒸発器として機能し、室内の冷房が行われる。
一方、暖房運転時には、図２に示すように、制御装置１００は、圧縮機３０Ａ、３０Ｂから吐出された高温・高圧のガス冷媒が室内ユニット２Ａ、２Ｂの各々に向かって流れるように、室外ユニット３Ａ、３Ｂのそれぞれの四方弁３１Ａ、３１Ｂを暖房運転時の位置に切り換える。これにより、冷房運転時とは逆に、室外ユニット３Ａ、３Ｂの各室外熱交換器３２Ａ、３２Ｂが蒸発器として機能するとともに、室内ユニット２の室内熱交換器２０が凝縮器として機能し、室内の暖房が行われる。
【００１４】
次いで、除霜運転時の動作について説明する。
上記のように、制御装置１００は、暖房運転時において、室外熱交換器３２の検出温度に基づいて除霜開始状態を判定する。そして、制御装置１００は、室外熱交換器３２に霜が付いたと判定した場合には除霜処理を開始する。以下、この除霜処理について図３および図４を参照して詳述する。なお、以下の説明では、２台の室外ユニット３Ａ、３Ｂのうち室外ユニット３Ａを除霜対象のユニット（一の室外ユニット）であるものとして説明する。
【００１５】
図３は除霜処理を示すフローチャートであり、また、図４は除霜処理時の冷媒回路図である。図３に示すように、制御装置１００は、まず、除霜すべき一の室外ユニット３Ａの室外熱交換器３２Ａが凝縮器として機能し、また、他の室外ユニット３Ｂの室外熱交換器３２Ｂが蒸発器（吸熱源）として機能するように、各室外ユニット３Ａ、３Ｂの四方弁３１Ａ、３１Ｂを切り換える（ステップＳ１）。
具体的には、制御装置１００は、暖房運転時において、各室外ユニット３Ａ、３Ｂの室外熱交換器３２Ａ、３２Ｂの温度を間欠的あるいは継続的に監視しており、この温度が所定温度以下まで低下している室外ユニット３が存在する場合には、その室外ユニット３を除霜対象とし（本実施形態では室外ユニット３Ａ）、図４に示すように、その室外ユニット３Ａの室外熱交換器３２Ａを凝縮器として機能させるように、当該室外ユニット３Ａの四方弁３１Ａを冷房運転時の位置に切り換える。暖房運転時には、他の室外ユニット３Ｂの室外熱交換器３２Ｂはもともと蒸発器として機能しているため、この他の室外ユニット３Ｂの四方弁３１Ｂは暖房運転時の位置で保持される。また、制御装置１００は、室外ユニット３Ａの室外膨張弁３３Ａを全開とし、補助冷却用膨張弁３７Ａを圧縮機３０Ａに吸い込まれる冷媒の過熱度が略一定となるように開度を調整する。また、制御装置１００は、補助冷却用膨張弁３７Ｂを全閉とし、室外膨張弁３３Ｂを室外熱交換器３２Ｂの出口における冷媒の過熱度が略一定となるように開度を調整する。
【００１６】
次いで、制御装置１００は、冷媒が室外ユニット３Ａ、３Ｂ間で循環するように各室外ユニット３Ａ、３Ｂの圧縮機３０Ａ、３０Ｂを駆動させる（ステップＳ２）。この結果、図４に示すように、室外ユニット３Ｂの圧縮機３０Ｂにて圧縮されたガス冷媒がガス管５を経由し、室外ユニット３Ａの圧縮機３０Ａに吸い込まれる。そして、この圧縮機３０Ａにより冷媒が更に圧縮され（いわゆる２段圧縮）、高温・高圧のガス冷媒となって室外ユニット３Ａの室外熱交換器３２Ａに導かれる。この高温・高圧のガス冷媒の熱エネルギーにより、室外熱交換器３２Ａが熱せられて除霜されることになる。
【００１７】
室外ユニット３Ａの室外熱交換器３２Ａにて凝縮された液冷媒は、冷媒配管３６Ａを介して、補助冷却器３５Ａにて補助冷却された後、液管６を経由して他の室外ユニット３Ｂに導入される。そして、この他の室外ユニット３Ｂの室外膨張弁３３Ｂで減圧され、室外熱交換器３２Ｂで蒸発することにより、低温・低圧のガス冷媒となり、再度、他の室外ユニット３Ｂの圧縮機３０Ｂに吸込まれて圧縮される。
【００１８】
本構成では、上述のように、室外ユニット３Ａは補助冷却器３５Ａを備え、この補助冷却器３５Ａの外管に供給された冷媒は、当該補助冷却器３５Ａの内管を流れる冷媒と熱交換することにより蒸発し、ガス冷媒が冷媒配管３９Ａを通じて圧縮機３０Ａの吸込側に戻されるようになっている。これによれば、他の室外ユニット３Ｂの圧縮機３０Ｂから吐出された高温・高圧のガス冷媒と、補助冷却器３５Ａにて補助冷却に供した低温・低圧のガス冷媒とが圧縮機３０Ａの吸込側で合流することにより、図５に示すように、上記圧縮機３０Ｂから吐出されたガス冷媒が冷却され、この圧縮機３０Ａの吸込側（図中Ｃ点）での過熱度を低く抑えることができる。このため、圧縮機３０Ａ、３０Ｂで冷媒を２段圧縮する場合であっても、この圧縮機３０Ａから吐出されるガス冷媒の温度が異常に上昇することがなく、各室外ユニット３Ａ、３Ｂ間に冷媒を循環させることにより、除霜対象の室外ユニット３Ａを効率良く除霜することができる。
【００１９】
また、本構成では、制御装置１００は、他の室外ユニット３Ｂの圧縮機３０Ｂの運転周波数βが除霜対象の室外ユニット３Ａの圧縮機３０Ａの運転周波数αよりも高く（すなわちβ＞α）なるように各圧縮機３０Ａ、３０Ｂの運転周波数α、βを調整する。具体的には、圧縮機３０Ｂの運転周波数βを８０Ｈｚ、圧縮機３０Ａの運転周波数αを２０Ｈｚとなるように設定している。この構成によれば、２段圧縮における低段側に相当する室外ユニット３Ｂの圧縮機３０Ｂの運転周波数が高段側に相当する室外ユニット３Ａの圧縮機３０Ａの運転周波数よりも高く設定しているため、この圧縮機３０Ａの吸込側には、上記圧縮機３０Ｂから絶えず冷媒が供給されることにより、これら圧縮機３０Ｂと圧縮機３０Ａとの間の配管内にて冷媒不足が生じることが防止され、室外ユニット３Ａ、３Ｂ間で冷媒を効率良く循環させることができる。
【００２０】
このようにして、室外ユニット３Ａに対する除霜を開始した後、制御装置１００は、室外ユニット３Ａの温度に基づいて除霜が完了したか否かを判断し（ステップＳ３）、除霜が完了していなければ（ステップＳ３：ＮＯ）、処理ステップをステップＳ２に戻し、室外ユニット３Ａに対する除霜を継続する。一方、除霜が完了していれば（ステップＳ３：ＹＥＳ）、この室外ユニット３Ａの除霜処理を終了するとともに、続いて、他の室外ユニット３Ｂの除霜処理を開始する。具体的には、この室外ユニット３Ｂを除霜対象として、この室外ユニット３Ｂの室外熱交換器３２Ｂを凝縮器として機能させるように、当該室外ユニット３Ｂの四方弁３１Ｂを冷房運転時の位置に切り換えるとともに、除霜処理が終了した室外ユニット３Ａの室外熱交換器３２Ａを蒸発器として機能させるように、当該室外ユニット３Ａの四方弁３１Ａを暖房位置に切り換える（ステップＳ４）。
そして、上述したように、冷媒が室外ユニット３Ａ、３Ｂ間で循環するように各室外ユニット３Ａ、３Ｂの圧縮機３０Ａ、３０Ｂを駆動させ、当該室外ユニット３Ａ、３Ｂ間で冷媒を循環させることにより、室外ユニット３Ｂの室外熱交換器３２Ｂの除霜を実施する（ステップＳ５）。この場合、制御装置１００は、上記室外ユニット３Ａの場合とは逆に、この室外ユニット３Ａの圧縮機３０Ａの運転周波数αが除霜対象となる他の室外ユニット３Ｂの圧縮機３０Ｂの運転周波数βよりも高くなるように各圧縮機３０Ａ、３０Ｂの運転周波数を調整する。具体的には、圧縮機３０Ａの運転周波数αを８０Ｈｚ、圧縮機３０Ｂの運転周波数βを２０Ｈｚとなるように設定している。
続いて、制御装置１００は、室外ユニット３Ｂの温度に基づいて除霜が完了したか否かを判断し（ステップＳ６）、除霜が完了していなければ（ステップＳ６：ＮＯ）、処理ステップをステップＳ５に戻し、室外ユニット３Ｂに対する除霜を継続する。一方、除霜が完了していれば（ステップＳ６：ＹＥＳ）、この室外ユニット３Ｂの除霜処理を完了する。
【００２１】
本構成による除霜運転によれば、蒸発器として機能する室外ユニットでは、冷媒が蒸発する際に空気から吸熱することができるため、従来の逆サイクル除霜やホットガス除霜に比べて除霜時間を短縮（約１／２以下）できることが実験等によって判明している。従って、上述したように、複数台の室外ユニットの除霜処理を２回に分けて実施した場合であても、１回当たりの除霜時間が約１／２以下であるため、全室外ユニットをすべて除霜するための総除霜時間を従来のものよりも短縮することができる。
また、本構成による除霜運転では、複数台接続された室外ユニットを凝縮器として機能する室外ユニットと、蒸発器として機能する室外ユニットとに区分けし、これら室外ユニット間に冷媒を流して上記凝縮器として機能する室外ユニットの除霜を実行している。この除霜を効率的に行うためには、蒸発器と凝縮器との能力が略等しいことが望ましい。このため、本構成では、室外ユニットを予め２つのグループに区分けしておき、各グループに属する室外ユニットの台数を略同一としている。
ここで、室外ユニットのうち１台でも除霜すべき状態に至った場合には、この１台が属するグループの室外ユニットをすべて凝縮器として機能させ、残りのグループの室外ユニットをすべて蒸発器として機能させるように、各室外ユニットの四方弁を切り換え、各室外ユニット間で冷媒を循環させることにより除霜運転を実行する。
【００２２】
なお、本構成では、上記ステップＳ２において、各室内ユニット２Ａ、２Ｂの室内膨張弁２１を全閉状態として、除霜運転時に室内ユニット２側へ冷媒が流れ込むのを防止している。さらに、本実施の形態では、上記ステップＳ２において、凝縮器として機能する室外ユニット３Ａの室外膨張弁３３を全開とするとともに、蒸発器として機能する他の室外ユニット３Ｂの室外膨張弁３３Ｂの開度を蒸発器出口過熱度が一定となるように制御している。このように蒸発器側の室外ユニット３Ｂの室外膨張弁３３Ｂの開度を制御することで、蒸発器出口での過熱度が保たれ、圧縮機３０Ｂへの液戻りが防止される。
【００２３】
以上説明したように、本実施形態によれば、除霜運転時に、一の室外ユニット３Ａが凝縮器として機能するとともに、他の室外ユニット３Ｂが蒸発器として機能するように各室外ユニットの四方弁３１Ａ、３１Ｂを切り換え、室外ユニット３Ａ、３Ｂの間で冷媒を循環させ、凝縮器として機能させた室外ユニット３Ａの室外熱交換器３２Ａの除霜を行う構成としている。
【００２４】
これにより、除霜運転時に、室内ユニット２を冷房状態とする必要がなく、これら室内ユニット２やユニット間配管４が冷却される事が無いため、除霜後の暖房運転時の立ち上り性能を良好に維持することができ、また、除霜運転時に、熱応力によりユニット間配管４などに騒音が発生する、といった事態を防止することができる。
【００２５】
また、本実施形態によれば、除霜運転時に、各室外ユニット３Ａ、３Ｂの四方弁３１Ａ、３１Ｂを切り換えるだけで良く、冷媒回路に新たに配管を設けるなどの変更を加える必要が無いため、冷媒回路構成を複雑化することなく、簡単な冷媒回路で任意の室外ユニット３Ａ、３Ｂの除霜を行うことができる。
【００２６】
また、本実施形態によれば、除霜対象の室外ユニット３Ａ以外の他の室外ユニット３Ｂを吸熱源となる蒸発器として機能させる構成としたため、室外ユニット３Ａの除霜に要する時間を従来の逆サイクル除霜やホットガス除霜に比べ短縮することができる。具体的には、本構成による１回当たりの除霜時間は、逆サイクル除霜やホットガス除霜に比べて、約１／２以下になることが実験等によって判明しているため、本構成による除霜処理を２回に分けて行った場合であっても、上記した従来の除霜よりも早く終了することができる。
【００２７】
また、本実施形態によれば、低段側に相当する室外ユニット３Ｂの圧縮機３０Ｂの運転周波数を高段側に相当する室外ユニット３Ａの圧縮機３０Ａの運転周波数よりも高く設定しているため、この圧縮機３０Ａの吸込側には、上記圧縮機３０Ｂから絶えず冷媒が供給されることにより、これら圧縮機３０Ｂと圧縮機３０Ａとの間の配管内にて冷媒不足が生じることが防止され、室外ユニット３Ａ、３Ｂ間で冷媒を効率良く循環させることができ、ひいては、除霜時間の短縮化を図ることができる。
【００２８】
また、本実施形態によれば、一の室外ユニット３Ａの室外熱交換器３２Ａで凝縮された冷媒の一部を、当該一の室外ユニット３Ａの圧縮機３０Ａの吸込側に戻し、他の室外ユニット３Ｂの圧縮機３０Ｂから吐出された冷媒と合流させているため、高段側の圧縮機３０Ａの吸込側における冷媒の過熱度を低く抑えることができ、２段圧縮する場合であっても、高段側の圧縮機３０Ａから吐出されるガス冷媒の温度が異常に上昇することがなく、室外ユニット３Ａを効率良く除霜することができる。
【００２９】
また、本実施の形態によれば、除霜運転時に、室内ユニット２の室内膨張弁２１を全閉状態とする構成としているため、室内ユニット２への冷媒の流れ込みが防止される。これにより、低温・低圧のガス冷媒によりユニット間配管４や室内ユニット２が冷却されてしまうことが無く、ユニット間配管４などでの騒音発生をより一層抑えることができる。
【００３０】
なお、上述した実施の形態は、あくまでも本発明の一態様を示すものであり、本発明の範囲内において任意に変形可能である。例えば、本実施形態にかかる空気調和装置では、２台の室外ユニット３Ａ、３Ｂを備える構成であったが、３台以上の室外ユニットを備える構成としても良い。
【図面の簡単な説明】
【００３１】
【図１】本発明の実施の形態に係る空気調和装置の冷媒回路図である。
【図２】同空気調和装置の冷房運転時の冷媒回路図である。
【図３】除霜処理のフローチャートである。
【図４】空気調和装置の除霜運転時の冷媒回路図である。
【図５】除霜運転時の冷凍サイクルのｐ−ｈ線図である。
【符号の説明】
【００３２】
１  空気調和装置
２、２Ａ、２Ｂ  室内ユニット
３、３Ａ、３Ｂ  室外ユニット
４  ユニット間配管
２０  室内熱交換器
２１  室内膨張弁
３０Ａ、３０Ｂ  圧縮機
３１Ａ、３１Ｂ  四方弁
３２Ａ、３２Ｂ  室外熱交換器
３３Ａ、３３Ｂ  室外膨張弁
１００  制御装置
【図１】
2008025901.tif 000003
【図２】
2008025901.tif 000004
【図３】
2008025901.tif 000005
【図４】
2008025901.tif 000006
【図５】
2008025901.tif 000007